(57)【特許請求の範囲】
【請求項１】
支柱上に配置したビームジョイントによって隣接するビームの３次元連結を自在とした手摺であって，上記ビームジョイントを，上記支柱の上方に突出して配置した軸部材と，該軸部材に軸回り方向回動自在に配置した上下に一対の軸受部材と，該一対の軸受部材にそれぞれ上下方向スライド自在に配置した上下に長い厚肉プレート状一対のスライド部材と，該一対のスライド部材の上端にそれぞれ上下方向首振り自在に配置しビーム端部を位置可変に固定するビーム受部材とを備えて形成するとともに，上記上下に一対の軸受部材がその外周にガイド突条と該ガイド突条の長手方向中間に雌ネジを設置したナット部を有し，上記一対のスライド部材が上記ガイド突条と対をなす裏面側のスライドガイドと上記ナット部にボルトを螺入する上下に長孔のボルト孔を開口したボルト受座を有してなり，上記各軸受部材のガイド突条に各スライド部材のスライドガイドを配置し上記ボルト受座のボルト孔を介して各軸受部材のナット部に螺入したボルトの締着固定によって上記スライド部材の軸受部材に対する上下方向スライド自在の配置を行なってなることを特徴とするビーム手摺。
【請求項２】
上記ビーム受部材にそれぞれビーム長手方向にスライド自在に追加的に配置するとともにビーム端部に挿入配置して上記ビーム受部材とともにビーム端部の底面部を締着挟持したビーム挟持部材を追加的に備えてなることを特徴とする請求項１に記載のビーム手摺。
【請求項３】
上記ビーム挟持部材に，隣接するビーム端部が軸部材上で連続する外観を呈する装飾部材をそれぞれ追加的に備えてなることを特徴とする請求項１又は２に記載のビーム手摺。
【請求項４】
上記ビーム挟持部材を，ビームに対して嵌挿し上記ビーム受部材からビームを貫通して該ビーム挟持部材に向けたビーム受部材にスライド自在のネジによって締着固定自在としてなることを特徴とする請求項１，２又は３に記載のビーム手摺。
【請求項５】
上記軸部材を，支柱に嵌合固定又は被嵌固定する固定脚部と，該固定脚部上に起立して上記一対の軸受部材を下支え支持自在にして該軸受部材の径に応じた径を有する軸部，該軸部の上端に配置して軸受部材の抜止め防止用にして着脱自在のキャップとを備えてなることを特徴とする請求項１，２，３又は４に記載のビーム手摺。
【請求項６】
上記軸部材の固定脚部が，その嵌合固定又は被嵌固定する支柱の幅又は径との調整用突起を備え，該調整用突起の突出寸法を調整することによって異なる幅又は径の複数の支柱に配置自在としてなることを特徴とする請求項５に記載のビーム手摺。
【発明の詳細な説明】
【０００１】
【発明の属する技術分野】
本発明は，例えば公園の遊歩道，公共建造物の入口等の公共的なスペースに設置して歩行補助用等として好適に用いられるビーム手摺に関する。
【０００２】
【従来の技術及び発明が解決しようとする課題】
ビーム手摺は，各ビームの長手方向両端部に一対の支柱を配置することによって，該一対の支柱上にビームを架設するように支持し，例えばフレキシブルにしてビームと同断面形状の装飾部材をビーム間に配置して長手方向にビームの連結を行うものとされる。
【０００３】
この場合，装飾部材をフレキシブルなものとすることによって隣接するビームを，コーナー連結と傾斜地連結の３次元連結自在とすることが可能となるが，一方で，一対の支柱が各ビームの長手方向両端部にそれぞれ配置されていることによって，隣接するビームの連結部分近傍に各ビームを支持する支柱が近接した状態とするように，連結部分毎に２本の支柱が集中して，煩雑な外観のものとなり易いという問題点が残されている。
【０００４】
本発明はかかる事情に鑑みてなされたもので，その解決課題とするところは，ビームの３次元連結を自在とするとともに該ビームの連結部分に支柱を配置してビーム支持を可能とすることによってスマートな外観を呈するビーム手摺を提供するにある。
【０００５】
【課題を解決するための手段】
上記課題に添って本発明は，支柱上にビームジョイントを配置して該ビームジョイントによって可及的に支柱上方において隣接するビーム端部の連結を行うとともに該ビームジョイントを支柱に対して水平方向に向けた回動及びその上下の調整と上下方向に向けた首振り及び該首振りに伴うビーム長さの変化を吸収調整可能とすることによって，湾曲，屈曲，傾斜等の地形に応じた３次元連結を自在とし，上記連結部分毎に２本の支柱が集中して煩雑な外観となる問題点を解消して，ビームの連結部分における支柱配置による３次元方向のビーム支持とこれによるスマートな外観を呈し得るように構成したものであって，即ち請求項１に記載の発明を，支柱上に配置したビームジョイントによって隣接するビームの３次元連結を自在とした手摺であって，上記ビームジョイントを，上記支柱の上方に突出して配置した軸部材と，該軸部材に軸回り方向回動自在に配置した上下に一対の軸受部材と，該一対の軸受部材にそれぞれ上下方向スライド自在に配置した上下に長い厚肉プレート状一対のスライド部材と，該一対のスライド部材の上端にそれぞれ上下方向首振り自在に配置しビーム端部を位置可変に固定するビーム受部材とを備えて形成するとともに，上記上下に一対の軸受部材がその外周にガイド突条と該ガイド突条の長手方向中間に雌ネジを設置したナット部を有し，上記一対のスライド部材が上記ガイド突条と対をなす裏面側のスライドガイドと上記ナット部にボルトを螺入する上下に長孔のボルト孔を開口したボルト受座を有してなり，上記各軸受部材のガイド突条に各スライド部材のスライドガイドを配置し上記ボルト受座のボルト孔を介して各軸受部材のナット部に螺入したボルトの締着固定によって上記スライド部材の軸受部材に対する上下方向スライド自在の配置を行なってなることを特徴とするビーム手摺としたものである。
【０００６】
請求項２に記載の発明は，上記に加えて，ビーム受部材によるビームの固定を外観よく且つ確実に行うものとするように，これを，上記ビーム受部材にそれぞれビーム長手方向にスライド自在に配置するとともにビーム端部に挿入配置して上記ビーム受部材とともにビーム端部の底面部を締着挟持したビーム挟持部材を追加的に備えてなることを特徴とする請求項１に記載のビーム手摺としたものである。
【０００７】
請求項３に記載の発明は，同じく上記に加えて，可及的に支柱上方で連結したビームが，その３次元連結の形態の如何を問わず，相互に連続する外観を呈し得るものとするように，これを，上記ビーム挟持部材に，隣接するビーム端部が軸部材上で連続する外観を呈する装飾部材をそれぞれ追加的に備えてなることを特徴とする請求項１又は２に記載のビーム手摺としたものである。
【０００８】
請求項４に記載の発明は，同じく上記に加えて，ビームの連結を簡易に安定して確実になし得るものとするように，これを，上記ビーム挟持部材を，ビームに対して嵌挿し上記ビーム受部材からビームを貫通して該ビーム挟持部材に向けたビーム受部材にスライド自在のネジによって締着固定自在としてなることを特徴とする請求項１，２又は３に記載のビーム手摺としたものである。
【０００９】
請求項５に記載の発明は，同じく上記に加えて，上記軸部材の支柱への配置及び軸受部材の支持と抜止めを確実に行うことによってビームの連結を安定して確実になし得るものとするように，これを，上記軸部材を，支柱に嵌合固定又は被嵌固定する固定脚部と，該固定脚部上に起立して上記一対の軸受部材を下支え支持自在にして該軸受部材の径に応じた径を有する軸部，該軸部の上端に配置して軸受部材の抜止め防止用にして着脱自在のキャップとを備えてなることを特徴とする請求項１，２，３又は４に記載のビーム手摺としたものである。
【００１０】
請求項６に記載の発明は，同じく上記に加えて，上記軸部材を幅又は径の異なる複数の支柱に共通に設置自在とするように，これを，上記軸部材の固定脚部が，その嵌合固定又は被嵌固定する支柱の幅又は径との調整用突起を備え，該調整用突起の突出寸法を調整することによって異なる幅又は径の複数の支柱に配置自在としてなることを特徴とする請求項５に記載のビーム手摺としたものである。
【００１１】
【発明の実施の形態】
以下図面の例に従って本発明を更に具体的に説明すれば，Ａはビーム手摺であり，該ビーム手摺Ａは，支柱１上に配置したビームジョイント３によって隣接するビーム２の３次元連結を自在として，本例にあって支柱１及びビーム２をステンレス製，ビームジョイント３を鋳物製とした金属製のものとしてある。
【００１２】
支柱１及びビーム２は，例えばこの種ビーム手摺に見られるようにステンレスパイプにより断面円形の中空円筒のものを用いてあり，一方上記ビームジョイント３は，これを，軸部材３１と，軸受部材３２と，スライド部材３３と，ビーム受部材３４とを備えて形成してあり，本例にあっては更にビーム挟持部材３５を備え，また装飾部材３６を備えたものとしてある。
【００１３】
これらビームジョイント３の各部材は，例えばアルミ鋳物によってそれぞれの部材に適した形状を備えたものとし，本例にあって部材の結合を固定金具３７による固定，例えばボルトの部材所定位置への螺着，ボルトナットによる部材所定位置の締着，小ネジによる締着等によって行うようにしてあり，このとき本例において用いたボルトは，現場において容易に締着できるとともに悪戯等によってボルトが外されるのを可及的に防止するように，レンチ，例えば６角レンチによるレンチ締着用のものとしてある。
【００１４】
軸部材３１は，上記支柱１の上方に突出して配置してあり，軸受部材３２は，該軸部材３１に軸回り方向回動自在に配置した上下に一対のものとし，スライド部材３３は，該一対の軸受部材３２にそれぞれ上下方向スライド自在に配置した上下に長い厚肉プレート状のものとし，ビーム受部材３４は，該一対のスライド部材３３の上端にそれぞれ上下方向首振り自在に配置したものとしたものとし，また本例において用いたビーム挟持部材３５は，上記ビーム受部材３４にそれぞれビーム長手方向にスライド自在に配置するとともにビーム２端部に挿入配置して上記ビーム受部材３４とともにビーム２端部の底面部を締着挟持したものとし，装飾部材３６は，上記ビーム挟持部材３５にそれぞれ備えて，隣接するビーム２端部が軸部材３１上で連続する外観を呈するものとしてある。
【００１５】
本例にあって軸部材３１は，これを，支柱１に嵌合固定又は被嵌固定する固定脚部３１１と，該固定脚部３１１上に起立して上記一対の軸受部材３２を下支え支持自在にして該軸受部材３２の径に応じた径を有する軸部３１４，該軸部３１４の上端に配置して軸受部材３２の抜止め防止用にして着脱自在のキャップ３１５とを備えたものとしてある。
【００１６】
本例の軸部材３１における固定脚部３１１は，これを，断面円形の中空円筒をなすようにし，これを上記ステンレスパイプによる支柱１の中空部に嵌合し，支柱１からの固定金具，例えばネジによって支柱１に固定するものとし，これによって軸部材３１を支柱１上に上向きに突出するように配置したものとしてあり，このとき固定脚部３１１上にはリング状等の膨出部による上記軸受部材３２の下支え支持部３１３を介して，その上方に向けて断面円形にして上記軸受部材３２軸支用の軸部３１４を起立するように配置するとともにその上端に上記キャップ３１５を着脱自在の被嵌状に載置し，固定金具，例えばボルトによって軸部頂部に締着して固定し，上記軸受部材３２の軸部３１４への装着とその抜止めを行うようにしてある。
【００１７】
このとき本例の軸部材３１における上記固定脚部は，その嵌合固定又は被嵌固定，本例にあっては感動固定する支柱１の幅又は径との調整用突起３１２を備え，該調整用突起３１２の突出寸法を調整することによって異なる幅又は径の複数の支柱１に配置自在としてあり，本例の調整用突起３１２は，これを断面円形３６２の固定脚部３１１の外周面に所定の間隔と高さに一体に配置し，アルミ鋳物であることによってヤスリ等の工具を用いてこれを削ってその突出高さを低くし又は除去するようにして，他の支柱１の内法乃至内径に合わせるように調整して，その支柱１への嵌合固定をなし得るようにしてある。
【００１８】
上下に一対の軸受部材３２は，これがその外周にガイド突条３２１と該ガイド突条の長手方向中間に雌ネジを設置したナット部３２２を有したものとしてあり，本例にあって上記上方に向けた断面円形の軸部３１４にその軸回りに回動自在とするようにリング体をなし，その外周に上記スライド部材３３を上下方向スライド自在とする上記ガイド突条３２１と，雌ネジを設置した上記ナット部３２２を備えたものとしてあり，本例にあってガイド突条３２１は外周面位置に上下に突出した突条とし，ナット部３２２は該ガイド突条の長手方向中間にこれを配置したものとしてある。
【００１９】
軸受部材３２は，隣接する一対のビーム２の水平方向回動をそれぞれ自在とするように同形状のものを一対用いて，上記軸部３１４に上下に被嵌するように配置することによってそれぞれ軸部３１４の軸支により上記軸回り方向に回動自在としてあり，このとき上記キャップ３１５は該上下の配置後に軸部３１４に締着固定してその抜止めを行うが，該締着固定は，一対の軸受部材３２の回動を許容する程度に，下支え支持部３１３との間で軸受部材３２を遊嵌するように行ってある。
【００２０】
上記一対のスライド部材３３は，これが上記ガイド突条３２１と対をなす裏面側のスライドガイド３３１と上記ナット部３２２にボルト３７を螺入する上下に長孔のボルト孔３３３を開口したボルト受座３３２を有したものとしてあり，上記各軸受部材３２に上下方向スライド自在とするように上記上下に長い厚肉プレート状をなし，その裏面側に上記軸受部材３２のガイド突条３２１と対をなすスライドガイド３３１を備えるとともに上記上下に長いボルト受座３３２を備えたものとしてあり，本例にあってスライド部材３３は，上下に長い正面小判状にして上下に長い表裏の刳り抜きを施したものとしてあり，該表裏の刳り抜き部分の前後中間位置に上下に長い突出リブを対向方向に突出するように配置することによって該突出リブと裏面側の刳り抜きによる壁面とＬ字状段差によって裏面側の上下に長いスライドガイド３３１を形成してある。
【００２１】
上記スライド部材３３の軸受部材３２に対する上下方向スライド自在の配置は，これを，上記各軸受部材３２のガイド突条３２１に各スライド部材３３のスライドガイド３３１を配置し上記ボルト受座３３２のボルト孔３３３を介して各軸受部材３２のナット部３２２に螺入したボルト３７の締着固定によって行なったものとしてある。即ちスライド部材３３は，隣接する一対のビーム２の軸部材３１，即ち支柱１に対する上下位置，即ち高さの調整をそれぞれ自在とするように同じく同形状のものを一対用いて，上記各軸受部材３２にボルトにより締着固定するように配置することによってそれぞれ軸受部材３２に上下方向スライド自在にその任意の高さ位置に固定し得るようにしてある。
【００２２】
ビーム受部材３４は，上記スライド部材に対して上下方向首振り自在とするように，その先端を各スライド部材３３の上端に回動自在に軸支して，ビーム２の長手方向に長い厚肉プレート状をなすとともに上面をビーム２底面の外側形状に合わせた形状，本例にあっては円弧形状としてビーム２の受座をなすようにしたものとし，その中央部分にビーム固定用，本例にあってはビーム挟持部材３５との挟持用のボルトを挿通し得るように長孔によるボルト孔３４１を開口したものとしてあり，本例のビーム受部材３４は，上記と同様にビーム長手方向に長い正面小判状にして長手方向に長い表面の刳り抜きを施し，該刳り抜き部分の裏面側に上下に長い突出リブを対向方向に突出するようにするとともにその幅方向中央部分に上記長孔によるボルト孔３４１を配置したものとしてあり，該ボルト孔３４１を介して後述のビーム挟持部材３５に形成したナット部３５１にボルトを締着することによって該ビーム挟持部材３５とともにビーム２の長手方向端部の底面部を締着挟持するようにしてある。
【００２３】
ビーム受部材３４は上記ビーム２との関係でその受座をなすものとしてあるから，該ビーム受部材３４にビーム端部を載置して上記ボルト孔３４１から該ビーム２にボルト３７を螺入する等することによって，ビーム受部材３４にビーム２を直に載置固定することが可能であり，このときボルト３７の締着で固定を行うとしても上記長孔によるボルト孔３４１によってボルト３７の位置が可変であることによってビーム受部材３４とビーム２との締着位置を調整することが可能となるが，本例にあっては該ビーム受部材３４を受座としてこれにビーム２を載置し，上記ビーム挟持部材３５とによって該ビーム２を締着挟持するようにして，ビーム２の固定を外観よく且つ確実になし得るようにしてある。
【００２４】
ビーム受部材３４は，隣接する一対のビーム２の長手方向端部を位置可変にそれぞれ載置して固定するように同様に同形状のものを一対用いて，ビーム２の固定位置，本例にあっては締着挟持位置を調整可能として，上記回動自在に軸支したスライド部材３３，即ち支柱１に対して首振り自在としてその角度を自在に設定可能とするようにしてあり，上記ビーム２の固定位置を調整可能とすることによって，例えば支柱１を，平地及び傾斜地を問わずに一定のピッチで起立設置し，その後にビームジョイント３を用いて同一長さのビーム２の連結を行う，この種ビーム手摺における一般的な施工方法を採用しても，平地と傾斜地とによって異なることになる支柱１間の間隔とビーム２長さとによって生じる寸法差を吸収するように調整し，平地及び傾斜地の如何を問わずに容易且つ確実な施工が可能となる。
【００２５】
ビーム挟持部材３５は，上記ビーム受部材３４とともにビーム２の底部を挟持するように，その底面をビーム２底面の内側形状に合わせた形状，本例にあっては円弧形状とし，底面の所定位置に雌ネジによるナット部３５１を備えた底面を円弧面とした厚肉プレート状をなすものとしてあり，上記ナット部３５１にビーム受部材３４側から，その長孔によるボルト孔３４１及びビーム２の長手方向端部の定位置に透設したボルト軸径に合わせた円形等適宜形状の透孔３５１を介してボルト３７を螺入し，ビーム受部材３４の突出リブをボルト受としてボルト孔３４１の長孔の範囲でその上記締着挟持位置の調整をなし得るようにしてある。
【００２６】
本例のビーム挟持部材３５は上記装飾部材３６を備えたものとしてあり，該装飾部材３６はこれをビーム挟持部材３５の支柱１側先端部にビーム２径内に納まるように一体の起立片部３６１を起立配置し，装飾部材３６は該起立片部３６１に固定し，ビーム２長手方向端部を閉塞するとともに軸部材３１の上部でビーム２が連続するようにビーム２の外形に合わせた円形の閉塞部３６２を備えたものとしてあり，このとき本例の装飾部材３６は，軸部材３１の上部で端部処理を更に可及的に良好にする外観を確保し得るように，上記円形の閉塞部３６２の先端を２分割し，その上下又は左右の重合配置によって，ビーム２の連結が非直線となったときに露出するビーム２の端部を，例えば曲げ加工等を施した外観を呈する如くに円弧をなす端部によってビームが可及的に連続する外観を呈するようにしてある。
【００２７】
以上のように構成したビームジョイント３によるビーム手摺Ａの形成は，例えば上記所定ピッチの等間隔で支柱１を起立設置し，各支柱１に上記軸部材３１の固定脚部３１１を嵌合固定することによってビームジョイント３を設置し，その軸受部材３２の回動，スライド部材のスライド，ビーム受部材３４の首振りを行い，一対の支柱１の各ビームジョイント３のビーム受部材３４，本例にあってはこれとビーム挟持部材３５にビーム２を架設するようにボルトを仮締めして仮止め設置し，その後にボルト３７を本締めしてビーム２を設置し，軸部３１４に対するキャップ設置，装飾部材３６の重合固定等必要な措置を施せばよく，簡単な操作でビーム手摺Ａの確実な設置ができるとともにこのビーム２の設置によって隣接するビーム２は，上記ビームジョイントを介した設置によって相互に水平方向及び上下方向に任意の角度に支柱１に支持された３次元連結がなされるとともに該３次元連結に伴うビーム２長さを調整して納まりを良好なものとすることができ，例えば公共的なスペースに設置するに際して生じる湾曲，屈曲，傾斜等地形に応じた３次元連結とこれに伴う問題点を解消することができる。
【００２８】
図示した例は以上のとおりとしたが，上記ビーム挟持部材を用いることなく，上記ビーム受部材にビームを載置固定すること，ビーム挟持部材に代えて，ビーム端部にナット部材を挿入配置してビーム受部材からビームを貫通して該ナット部材に向けたビーム受部材にスライド自在のネジによって締着固定すること等を含めて，本発明の実施に当って，支柱，ビームジョイント，ビーム，軸部材，軸受部材，スライド部材，ビーム受部材，必要に応じて用いるビーム挟持部材，装飾部材等の各具体的形状，構造，材質，これらの関係，これらに対する付加等は，上記発明の要旨に反しない限り様々な形態のものとすることができる。
【００２９】
【発明の効果】
本発明は以上のとおりに構成したから，請求項１に記載の発明は，支柱上にビームジョイントを配置して該ビームジョイントによって可及的に支柱上方において隣接するビーム端部の連結を行うとともに該ビームジョイントを支柱に対して水平方向に向けた回動及びその上下の調整と上下方向に向けた首振り及び該首振りに伴うビーム長さの変化を吸収調整可能とすることによって，湾曲，屈曲，傾斜等の地形に応じた３次元連結を自在とし，連結部分毎に２本の支柱が集中して，煩雑な外観となる問題点を解消して，ビームの連結部分における支柱配置による３次元方向のビーム支持とこれによるスマートな外観を呈するビーム手摺を提供することができる。
【００３０】
請求項２に記載の発明は，上記に加えて，ビーム受部材によるビームの固定を外観よく且つ確実に行うものとすることができる。
【００３１】
請求項３に記載の発明は，同じく上記に加えて，可及的に支柱上方で連結したビームが，その３次元連結の形態の如何を問わず，相互に連続する外観を呈し得るものとすることができる。
【００３２】
請求項４に記載の発明は，同じく上記に加えて，ビームの連結を簡易に安定して確実になし得るものとすることができる。
【００３３】
請求項５に記載の発明は，同じく上記に加えて，上記軸部材の支柱への配置及び軸受部材の支持と抜止めを確実に行うことによってビームの連結を安定して確実になし得るものとすることができる。
【００３４】
請求項６に記載の発明は，同じく上記に加えて，上記軸部材を幅又は径の異なる複数の支柱に共通に設置自在とすることができる。
【図面の簡単な説明】
【図１】  ビーム手摺の一部を示す正面図である。
【図２】  水平連結状態のビーム連結部の正面図である。
【図３】  傾斜連結状態のビーム連結部の正面図である。
【図４】  ビームジョイントと支柱及びビームとの関係を示す斜視図である。
【図５】  ビームジョイントの分解斜視図である。
【符号の説明】
Ａ  ビーム手摺
１  支柱
２  ビーム
３  ビームジョイント
３１  軸部材
３１１  固定脚部
３１２  調整用突起
３２  軸受部材
３２１  ガイド突条
３３  スライド部材
３３１  スライドガイド
３４  ビーム受部材
３５  ビーム挟着部材
３６  装飾部材
３７  固定金具
【図１】
0003693977.tif 000002
【図２】
0003693977.tif 000003
【図３】
0003693977.tif 000004
【図４】
0003693977.tif 000005
【図５】
0003693977.tif 000006